(57)【要約】【課題】把持可能な本体およびふたを有する容器を提供する。【解決手段】容器１４は容器本体１９とふた１０とを含む。ふた１０は、上面１１とスカート１２とを有し、スカートの外面には、スカートよりも軟かい材料の外層１３が付着されている。この外層は少なくとも２０ミル（約０．５１ｍｍ）の厚さを有することができ、スカートに分子間結合させることができる。有利には、この外層が実質的にスカートの表面全体を覆う。ふたは、二段階射出成形工程を使用して形成することができ、この工程では、第１のステップでふたが形成され、二段階射出成形工程の第２のステップの間に、ふたのスカート上に、より軟かい材料の外層が形成される。さらに、容器本体は、１つまたは複数の把持に適した表面２０、２２を、相対的に高摩擦係数の領域として含む。【選択図】図４
2014133596.tif 000002
【特許請求の範囲】
【請求項１】
少なくとも一部分が高い摩擦係数を有する材料を含む外面と、開口と、を有する容器本体と、
上面とスカートとを有するふたと、を備え、
前記スカートはその上に形成された外層を有し、該外層は、前記スカートよりも軟らかい材料のものであり、また、前記スカートに結合されて当該スカートとの間の相対運動を防ぎ、前記ふたは、前記開口の上で前記容器本体と係合されることを特徴とする容器。
【請求項２】
前記ふたは、ねじ山によって前記容器本体と係合されることを特徴とする請求項１に記載の容器。
【請求項３】
前記外層は少なくとも２０ミル（約０．５１ｍｍ）の厚さを有することを特徴とする請求項１に記載の容器。
【請求項４】
前記高摩擦係数材料は、前記容器本体の他の部分の摩擦係数よりも高い摩擦係数を有することを特徴とする請求項１に記載の容器。
【請求項５】
前記容器本体は、高摩擦係数材料を含む、外面の少なくとも２つの部分を備えたことを特徴とする請求項１に記載の容器。
【請求項６】
高い摩擦係数を有する材料を含む前記外面の前記少なくとも一部分は、前記容器本体を一周する帯の形態をとることを特徴とする請求項１に記載の容器。
【請求項７】
高い摩擦係数を有する材料を含む前記外面の前記少なくとも一部分は、前記開口の反対側の前記容器本体の底部に配置されていることを特徴とする請求項１に記載の容器。
【請求項８】
前記高摩擦係数材料は、前記容器本体に分子間結合されていることを特徴とする請求項１に記載の容器。
【請求項９】
前記高摩擦係数材料は、前記容器本体のきめの粗い面が付与された表面を含むことを特徴とする請求項１に記載の容器。
【請求項１０】
前記高摩擦係数材料は、前記容器本体の前記外面に付着されたゴム状の材料を含むことを特徴とする請求項１に記載の容器。
【請求項１１】
高い摩擦係数を有する材料を含む前記外面の前記少なくとも一部分は、前記開口の反対側の前記容器本体の底面に配置されていることを特徴とする請求項１に記載の容器。
【請求項１２】
容器本体とふたとを備え、
前記容器本体およびふたのそれぞれはそれぞれの第１の材料からなり、前記容器本体およびふたはそれぞれ少なくとも一部分が前記それぞれの第１の材料に結合されたそれぞれの第２の材料を含むそれぞれの外面を有し、前記それぞれの第２の材料は前記それぞれの第１の材料に、それらの間の相対運動を防ぐように結合されており、前記それぞれの第２の材料は、所与の力に関して、前記容器本体およびふたの他の部分に同じ力が加えられたときに与えられるトルクよりも高いトルクを加えるようにすることを特徴とする容器。
【請求項１３】
それぞれの第２の材料はそれぞれ、前記それぞれの第１の材料よりも高い摩擦係数を有することを特徴とする請求項１２に記載の容器。
【請求項１４】
前記容器本体および前記ふたの前記それぞれの第２の材料のうちの少なくとも一方の第２の材料は、前記それぞれの第１の材料に分子間接合されていることを特徴とする請求項１２に記載の容器。
【請求項１５】
前記容器本体および前記ふたの前記それぞれの第２の材料のうちの少なくとも一方の第２の材料は、きめの粗い面が付与された表面を含むことを特徴とする請求項１２に記載の容器。
【請求項１６】
前記容器本体および前記ふたの前記それぞれの第２の材料のうちの少なくとも一方の第２の材料は、前記容器本体またはふたの表面に付着されたゴム状の材料を含むことを特徴とする請求項１２に記載の容器。
【請求項１７】
容器を製造する方法であって、
開口を有する容器本体を、二段階射出成形工程の第１のステップを使用して形成し、
前記容器本体上に、外側材料層の一部分を、前記容器本体に前記外側層を分子間結合させる前記二段階射出成形工程の第２のステップを使用して形成する
工程を有することを特徴とする方法。
【請求項１８】
前記容器本体に形成される前記外側材料層の前記一部分は、高い摩擦係数を有することを特徴とする請求項１７に記載の方法。
【請求項１９】
前記容器本体に形成される前記外側材料層の前記一部分は、前記容器本体よりも高い摩擦係数を有することを特徴とする請求項１７に記載の方法。
【請求項２０】
スカートを有するふたを、二段階射出成形工程の第１のステップを使用して形成し、
前記スカートに、前記スカートよりも軟かい材料の外層を、前記スカートに前記外層を分子間結合させる前記二段階射出成形工程の第２のステップを使用して形成する
工程をさらに有することを特徴とする請求項１７に記載の方法。
【発明の詳細な説明】
【技術分野】
【０００１】
本発明は、把持に適した表面を有する、改良された容器に関し、具体的には、把持に適した１つまたは複数の表面をそれぞれが有する容器本体およびふたを備えた、改良された容器に関するものである。
【背景技術】
【０００２】
広口びんなどの多くの容器が、頂部開口と、頂部開口を覆いまたは閉じるふたまたは他の閉じるものを有している。１つの典型的な構成では、ねじが切られた広口びんの首部に開口が設けられ、この開口に対し、対応した、ねじが切られたふたが、回転することによって開閉される。把持に適した表面を設けるため、いくつかのふたは、それらの軸方向に延びる、一般にふたのスカートとして知られている部分に沿ったリブないし溝を備え、これにより、把持性を高め、ふたをひねって容器の首に取り付け、また容器の首から取り外すことをより容易にすることができる。
【０００３】
特許文献１は、堅い部片が、ふたのスカートを含むふたの第１の部分を形成し、この第１の堅い部分上に第２の部分が成形されてふたの外周縁の一部が定められた、広口びんの閉じるものを開示している。この第２の部分はスカートのインレーもしくは空隙内に形成され、これにより、結果として得られるふたが、スカートの外面および／またはふたの第１の部分の上面と同一平面をなす第２の部分を有することができる。
【０００４】
特許文献２は、インモールドラベルがふたのスカートの上に薄い把持面が形成された、柔らかい手触りの把持面を備えたふたを開示している。
【０００５】
先行技術のねじ付き容器の内容物を入手する経路は、容器本体の側面に圧力を加えながらふたにトルクを加えることによって獲得でき、それによって、ふたをひねって容器本体からふたを取り外すときに、容器本体を動かないように保持することができる。このように、ふたに加えられるトルクは、容器本体に加えられる適当なトルクによって抵抗を受ける必要がある。ふたに加えられたトルクに対抗する十分なトルクを容器本体に加えるため、ユーザーは、一般には、容器本体を非常に強く握り締め、または作業台ないし調理台上に容器本体を押し付け、あるいは他のなんらかの方法を使用しなければない。これらの方法はいずれも厄介で不快であり、開ける際に容器本体を握り締めると、容器が内側へ押され、内容物の一部が容器から押し出されることがある。
【先行技術文献】
【特許文献】
【０００６】
【特許文献１】米国特許第６４８１５８９号明細書
【特許文献２】米国特許出願公開第２００５／０１４５５９３号明細書
【発明の概要】
【発明が解決しようとする課題】
【０００７】
当技術分野では、容器をより容易に開閉することを可能にする把持に適した表面を有する改良された容器が求められている。
【課題を解決するための手段】
【０００８】
本発明は、把持可能なふたの閉じ部を有する容器に関し、このふたはそのスカート部分に形成された軟らかい外層を有することによって把持に適した表面を与えるものである。有利には、外層がスカートに対する強い結合を形成し、その結合には、外層およびスカートのそれぞれの材料が互いに混合された分子間結合を含むことができる。さらに、有利には、外層が十分な厚さのものであって、これにより、快適に把持することができ、ふたが取り付けられた容器を容易に開けることができる、把持により適した表面を与えることができる。さらに、容器は、容器の本体の外面に把持に適した表面を有する。この把持に適した表面は、容器本体の外面に付されたゴム状材料、容器本体に分子間結合された外層、または容器本体の外面の粗くされた部分とすることができる。
【０００９】
一形態では、本発明は、開口および少なくとも一部分が高い摩擦係数を有する材料を備えた外面を有する容器本体を備えた容器に関する。この容器はさらに、上面とスカートとを有するふたを備える。ふたは、スカートの外面に付された、スカートよりも軟かい材料の外層を有する。ふたは、開口の上で容器本体と係合する。
【００１０】
この高摩擦係数材料は、容器本体に分子間結合させることができる。
【００１１】
有利には、高摩擦係数材料が、容器本体の他の部分よりも高い摩擦係数を有する。この高摩擦係数材料は、開閉中に、ふたをひねるために加えられたトルクに対抗する十分な力を容器本体に加えることを可能にするものである。
【００１２】
本発明の他の形態では、本発明が、それぞれがそれぞれの第１の材料からなる容器本体とふたを備える。容器本体およびふたはそれぞれ、それぞれの第１の材料に結合されたそれぞれの第２の材料を含む、それぞれの外面の少なくとも一部分を有する。それぞれの第２の材料は、それぞれの第１の材料に、それらの間の相対運動を防ぐように結合されている。それぞれの第２の材料は、容器本体およびふたの他の部分に同じ所与の力が加えられる場合より、滑ることなくより高いトルクを加えるのに役立つ。
【００１３】
本発明の他の形態は、容器を製造する方法に関し、この方法は、開口を有する容器本体を、二段階射出成形工程の第１のステップを使用して形成すること、および容器本体の外側層の一部分を、容器本体に外側層を分子間結合させる二段階射出成形工程の第２のステップを使用して形成することを含むものである。
【００１４】
本発明のこれらの目的およびその他の目的は、以下の図面の簡単な説明および好ましい実施形態の詳細な説明から明らかになるであろう。
【００１５】
以下に、添付図面と一緒に読まれるべき、本発明の好ましい実施形態の詳細な説明を示す。
【図面の簡単な説明】
【００１６】
【図１】本発明に基づく閉じ部材の斜視図である。
【図２】図１の線２−２に沿って切った閉じ部材の断面図である。
【図３】図２の枠１５の閉じ部材の拡大部分図である。
【図４】本発明に基づく容器本体およびふたを備えた容器の立面図である。
【図５】下から見た図４の容器の平面図である。
【発明を実施するための形態】
【００１７】
図面を参照すると、複数の図面の全体を通じて、同様の要素は同様の符号によって表されている。
【００１８】
容器１４は、容器本体１９とふた１０とを備える。ふた１０は、上面１１とスカート１２とを有する。有利には、ふた１０は、プラスチック材料またはポリマーによって、射出成形を使用して、二段階成形工程の第１のステップで形成される。ふた１０は、ポリエチレンまたはポリプロピレンによって形成することができる。あるいは、ふた１０は、当業者に知られている他の適当な任意の材料から形成することもできる。
【００１９】
ふた１０は、スカート１２に接着された外層１３を含み、好ましくは、外層１３はスカート１２表面のほぼ全体を覆うものである。外層１３は、容器（図４）１４を開けまたは閉じるために外層１３がひねられたときに、外層１３がスカート１２に対して滑ったりまたは動いたりしないように、スカート１２に結合される。
【００２０】
ふた１０を製作する１つの有利な方法では、外層１３が、二段階成形工程の第２のステップにおいて形成される。好ましくは、結果として生じる外層１３がスカート１２に分子間結合され、その結果、それらの間に形成される界面１６が、図２の枠１５の拡大図である図３に示されているように、互いに混合された、スカート１２および外層１３の材料を含むものとなる。スカート１２と外層１３の間に分子間結合を有することは有利な点であるが、スカートと外層の間に相対運動を生じないようにするのに、分子間結合を有することは必須ではない。
【００２１】
外層１３の厚さは少なくとも２０ミル（約０．５１ｍｍ）、好ましくは少なくとも３８ミル（約０．９７ｍｍ）、より好ましくは４０〜６０ミル（約１．０２〜１．５２ｍｍ）である。これらの厚さによって、容器１４を容易に把持し、開けることを可能にする、ふた１０のスカート１２に沿った、把持に適した快適な表面となる。外層１３は、ゴム引きされたエラストマーを含む適当な軟らかい材料から形成することができる。
【００２２】
閉じ部材１０を形成する好ましい方法は二段階射出成形だが、別法として十分に強く結合または付着されたより軟らかい外層を有するスカート１２を形成する当業者に知られている他の製造工程を使用することもできる。
【００２３】
容器本体１９の外面は、容器本体１９の中央部分を一周する把持に適した表面２０、および／または容器本体１９のふもとの部分に形成された把持に適した表面２２を含んでいる。把持に適した表面２２は容器本体の底面２４まで延びている（図５）。把持に適した表面２０、２２は、容器本体１９の外面の他の部分に比べて高い摩擦係数を有している。その結果、ユーザーは、ふた１０を取り外しまたはひねるときに、把持に適した表面の１つを保持することによって、容器本体１９をしっかりと把持することができる。あるいは、ふた１０を取り外しまたはひねる間、圧力を加えて、容器本体１９の表面２２ａを調理台または他の表面に対して下方へ押し付けることができる。図５は、容器本体１９の下面２４の周縁だけを覆っている把持に適した表面２２ａを示しているが、把持に適した表面２２ａは下面２４全体を覆うこともできる。
【００２４】
把持に適した表面２０、２２は、容器本体１９の他の部分の材料よりも軟らかい材料によって形成することができ、容器本体の表面に分子間結合させることができる。例えば、把持に適した表面２０、２２は、ふた１０に外層１３を形成するのに使用することができる工程などの二段階成形工程を用いて形成することができる。あるいは、把持に適した表面２０、２２は、容器本体１９の表面に付着されたゴム引きされた材料で形成することもできる。把持に適した表面は、容器本体１９の外面にざらざらした面（きめの粗い面）を付与することによっても形成することができる。ざらざらした面は、容器本体１９の射出成形中に付与することができ、または、射出成形工程後に容器本体１９を粗くしてもよい。有利には、把持に適した表面２０、２２によって、容器本体１９を圧縮する内側への力を加えることなく、より多くのトルクを容器に加えることが可能となる。
【００２５】
一つの代替形態では、把持に適した表面２０などの把持に適した表面を、容器本体１９に付着された接着ラベルで形成することができ、この接着ラベルはざらざらした面が付与された表面を有するものである。選択で、接着ラベルのざらざらした面が付与された表面にインク層を形成することもできる。
【００２６】
１つの応用もしくは用途では、ふた１０が、スカート１２の内面にねじ山１７を有し、これによって、図４の矢印１８によって示された反時計回りにふた１０をひねりもしくは回転させることによって、相補的なねじ山（図示せず）を有する容器本体１９からふた１０を取り外すことができる。
【００２７】
本発明のふたが、先行技術の容器には見られない利点および特徴を提供することは、当業者には明白であろう。例えば、本発明のふたは、把持に適した快適な表面を与える軟らかい材料の十分に厚い外層を含むものである。本発明のふたの追加の有利な特徴は、スカートに分子間結合させるなどによってスカートに十分に結合され、それにより、容器を開けまたは閉めるときに外層がスカートに対して滑らないことを保証する外層である。容器本体の把持に適した表面の高い摩擦係数の存在は、ふたをひねって容器本体にふたを取り付け、容器本体からふたを取り外すときに容器本体に加えられるトルクに対抗するため、ユーザーが、ふたに対して容器本体を、動かないようにしっかりと保持することを可能にする。その結果、本発明の容器は、先行技術の容器よりも容易に開閉することができる。
【００２８】
以上に、本発明を、その好ましい実施形態に関して説明したが、本発明の範囲および趣旨から逸脱することなく、これらの好ましい実施形態に変更および修正を加えることができることを当業者は理解するであろう。
【図１】
2014133596.tif 000003
【図２】
2014133596.tif 000004
【図３】
2014133596.tif 000005
【図４】
2014133596.tif 000006
【図５】
2014133596.tif 000007